(57)【要約】【課題】  立ち上がり部分が低い場合であっても、容易に締め付け作業を行うことができるベランダ取り付け用支持具を提供することである。【解決手段】  第１部分（１２）と、第２部分（１４）と、枠体（１６）とを備え、ベランダの立ち上がり部分の外側面に、第１部分の垂直部の内面を当て、第２部分と枠体を摺動させて取り付け幅の大まかな調整を行い、枠体の延長部の貫通孔にアジャストボルト（２０）を挿入し、アジャストボルの先端部が立ち上がり部分の内側面に当たるように締め付けることにより、支持具の取り付け幅の微調整を行い、第２部分の端板の長穴に通した第２ボルト（２２）の先端をナット部（１６ａ）にねじ込んで締め付けることにより、枠体の延長部（１６ｃ）が第１ボルト（１８）を支点として立ち上がり部分の内側面の方へ押し付けられ、これにより立ち上がり部分に堅固に固定されるように構成されている。【選択図】  図１
2007303135.tif 000002
【特許請求の範囲】
【請求項１】
ベランダ取り付け用支持具であって、
水平部および垂直部を有するＬ形の第１部分と、
前記水平部内に挿入できるように形作られた本体および前記本体の一方の端部に取り付けられた端板を有する第２部分と、
前記水平部に嵌め込むことができるように形作られた枠体とを備え、
前記水平部の側面に、複数の貫通孔が設けられており、前記本体の側面に、前記本体の端部を前記水平部内に挿入したときに前記水平部の前記貫通孔と整列する箇所に、貫通孔が設けられており、前記端板に、前記本体の上面より上方に延びた箇所に垂直方向に延びた長穴が設けられており、前記枠体の上面の中央に、ナット部が設けられており、前記枠体の側面に、前記枠体を前記水平部に嵌め込んだときに前記水平部の前記貫通孔と整列する箇所に、貫通孔が設けられており、前記枠体の下面に、下方に延びた延長部が設けられ、前記延長部のほぼ中央に貫通孔が形成されており、
ベランダの立ち上がり部分の外側面に、前記第１部分の前記垂直部の内面を当て、前記第２部分および前記枠体を摺動させ、前記水平部の貫通孔、前記本体の貫通孔、および前記枠体の側面の貫通孔に第１ボルトをねじ込んで、前記支持具の取り付け幅の大まかな調整を行い、前記枠体の延長部の貫通孔にアジャストボルトを挿入し、前記アジャストボルの先端部が前記立ち上がり部分の内側面に当たるように前記アジャストボルトを締め付けることにより、前記支持具の取り付け幅の微調整を行い、前記端板の長穴に通した第２ボルトの先端を前記ナット部にねじ込んで締め付けることにより、前記枠体の延長部が第１ボルトを支点として前記立ち上がり部分の内側面の方へ押し付けられ、これにより前記立ち上がり部分に堅固に固定されるように構成されていることを特徴とする支持具。
【請求項２】
前記水平部および前記垂直部が、角形パイプで形成されており、前記本体が、前記水平部の内径よりも小さくなるように外径が形作られた角形パイプで形成されていることを特徴とする請求項１に記載の支持具。
【発明の詳細な説明】
【技術分野】
【０００１】
本発明は一般に、ベランダ取り付け用支持具に関する。より詳細には、本発明は、ベランダへの取り付けを容易に行うことができるベランダ取り付け用支持具に関する。
【背景技術】
【０００２】
マンション等の建築物においてプレキャストコンクリート製のベランダ（以下「ＰＣベランダ」という）を使用する場合には、施工の際に地面から外部足場を組み立てる必要はないが、工具の落下等を防止するため、建築物にネットを取り付ける等の外部養生を行うのは必要不可欠である。このような場合に、ＰＣベランダを利用して骨組やネット等を取り付けるための支持具（以下「ベランダ取り付け用支持具」という）が使用されており、種々の型式のベランダ取り付け用支持具が開発され市販されている。
【０００３】
図６は、そのようなベランダ取り付け用支持具の一例を示した図である。図６に示されるベランダ取り付け用支持具３０は、水平部材３０ａ、外面側の垂直部材３０ｂ、および内面側の垂直部材３０ｃを門形に組み立てることによって構成されており、垂直部材３０ｃに、締め付け用のアジャストボルト３２が設けられている。使用に際して、ＰＣベランダの立ち上がり部分を垂直部材３０ｂ、３０ｃ間に挟むように支持具３０を配置し、アジャストボルト３２を締め付けることによって、支持具３０をＰＣベランダの立ち上がり部分に固定する（図７参照）。
【発明の開示】
【発明が解決しようとする課題】
【０００４】
しかしながら、上述のベランダ取り付け用支持具３０では、ＰＣベランダの立ち上がり部分が低い場合には、ベランダ取り付け用支持具をＰＣベランダに固定する締め付け作業がきわめて困難である。また、他の型式のベランダ取り付け用支持具についても、締め付け作業に際して同様の課題がある。
【０００５】
本発明は、このような状況に鑑みて開発されたものであって、ＰＣベランダの立ち上がり部分が低い場合であっても、容易に締め付け作業を行うことができるベランダ取り付け用支持具を提供することを目的としている。
【課題を解決するための手段】
【０００６】
本願請求項１に記載のベランダ取り付け用支持具は、水平部および垂直部を有するＬ形の第１部分と、前記水平部内に挿入できるように形作られた本体および前記本体の一方の端部に取り付けられた端板を有する第２部分と、前記水平部に嵌め込むことができるように形作られた枠体とを備え、前記水平部の側面に、複数の貫通孔が設けられており、前記本体の側面に、前記本体の端部を前記水平部内に挿入したときに前記水平部の前記貫通孔と整列する箇所に、貫通孔が設けられており、前記端板に、前記本体の上面より上方に延びた箇所に垂直方向に延びた長穴が設けられており、前記枠体の上面の中央に、ナット部が設けられており、前記枠体の側面に、前記枠体を前記水平部に嵌め込んだときに前記水平部の前記貫通孔と整列する箇所に、貫通孔が設けられており、前記枠体の下面に、下方に延びた延長部が設けられ、前記延長部のほぼ中央に貫通孔が形成されており、ベランダの立ち上がり部分の外側面に、前記第１部分の前記垂直部の内面を当て、前記第２部分および前記枠体を摺動させ、前記水平部の貫通孔、前記本体の貫通孔、および前記枠体の側面の貫通孔に第１ボルトをねじ込んで、前記支持具の取り付け幅の大まかな調整を行い、前記枠体の延長部の貫通孔にアジャストボルトを挿入し、前記アジャストボルの先端部が前記立ち上がり部分の内側面に当たるように前記アジャストボルトを締め付けることにより、前記支持具の取り付け幅の微調整を行い、前記端板の長穴に通した第２ボルトの先端を前記ナット部にねじ込んで締め付けることにより、前記枠体の延長部が第１ボルトを支点として前記立ち上がり部分の内側面の方へ押し付けられ、これにより前記立ち上がり部分に堅固に固定されるように構成されていることを特徴とするものである。
【０００７】
本願請求項２に記載のベランダ取り付け用支持具は、前記請求項１の支持具において、前記水平部および前記垂直部が、角形パイプで形成されており、前記本体が、前記水平部の内径よりも小さくなるように外径が形作られた角形パイプで形成されていることを特徴とするものである。
【発明の効果】
【０００８】
本発明のベランダ取り付け用支持具によれば、取り付けに際しての最終的な締め付け作業を、支持具で挟む込む立ち上がり部分の上方の箇所で行うことができるので、立ち上がり部分が低いＰＣベランダであっても、容易に締め付け作業を行うことができる。
【発明を実施するための最良の形態】
【０００９】
次に図面を参照して、本発明の好ましい実施の形態に係るベランダ取り付け用支持具について詳細に説明する。図１は、本発明の好ましい実施の形態に係るベランダ取り付け用支持具を示した分解斜視図である。図１において全体として参照符号１０で示される本発明の好ましい実施の形態に係るベランダ取り付け用支持具は、水平部１２ａおよび垂直部１２ｂを有するＬ形の第１部分１２を備えている。
【００１０】
第１部分１２の水平部１２ａおよび垂直部１２ｂは好ましくは、角形パイプで形成されており、水平部１２ａの端部１２ａ１が開放している。第１部分１２の水平部１２ａの側面１２ａ２に、複数（図１では３個）の貫通孔１２ａ３が設けられている。なお、垂直部１２ｂに設けられた穴１２ｂ１は、単クランプ等を取り付けるためのものである。
【００１１】
ベランダ取り付け用支持具１０は又、本体１４ａおよび本体１４ａの一方の端部に取り付けられた端板１４ｂを有する第２部分１４を備えている。
【００１２】
第２部分１４の本体１４ａは、その端部を第１部分１２の水平部１２ａの開放端部１２ａ１内に容易に挿入することができるように、水平部１２ａの内径よりも小さくなるように外径が形作られた角形パイプで形成されている。本体１４ａの側面１４ａ１には、本体１４ａの端部を水平部１２ａの開放端部１２ａ１内に挿入したとき、貫通孔１２ａ３と整列する箇所に、貫通孔１４ａ２が設けられている。
【００１３】
本体１４ａの一方の端部（水平部１２ａの開放端部１２ａ１内に挿入される端部と反対側の端部）に取り付けられた端板１４ｂには、図１に示されるように、本体１４ａの上面１４ａ２より上方に延びた箇所に、垂直方向に延びた長穴１４ｂ１が設けられている。なお、図１に示される例では、端板１４ｂが本体１４ａの端部に溶接で固定されているが、端板１４ｂを本体１４ａの端部にボルト止めしてもよい。
【００１４】
ベランダ取り付け用支持具１０は更に、第１部分１２をベランダに固定するための枠体１６を備えている。枠体１６は、第１部分１２の水平部１２ａに嵌め込むことができるように、水平部１２ａの外形と相似形（図示される例では、角形パイプの水平部１２ａに合わせた矩形形状）で且つ水平部１２ａの外径よりも僅かに大きな内径を有するように形作られている。
【００１５】
枠体１６の上面の中央には、ナット部１６ａが設けられている。また、枠体１６の側面には、枠体１６を水平部１２ａに嵌め込んだときに貫通孔１２ａ３と整列する箇所に、貫通孔１６ｂが設けられている。さらに、枠体１６の下面には、下方に延びた延長部１６ｃが設けられており、延長部１６ｃのほぼ中央には、貫通孔１６ｃ１が形成されている。
【００１６】
以上のように構成されたベランダ取り付け用支持具１０の使用法について説明する。まず、使用に先立って、第１部分１２の水平部１２ａの端部に枠体１６を嵌め込み、水平部１２ａの端部内に第２部分１４を挿入することによって、支持具１０を組み立てておく。次いで、図２に示されるように、支持具１０を取り付けようとするＰＣベランダの立ち上がり部分の外側面に、第１部分１２の垂直部１２ｂの内面を当てる。次いで、ＰＣベランダの立ち上がり部分の幅Ｗに応じて、第２部分１４および枠体１６を摺動させて、支持具１０の取り付け幅を調整し、枠体１６の貫通孔１６ｃ１、第１部分１２の貫通孔１２ａ３、および第２部分１４の貫通孔１４ａ２に第１ボルト１８をねじ込んで、支持具１０の取り付け幅を大まかに調整する。次いで、枠体１６の貫通孔１６ｃ１にアジャストボルト２０を挿入し、アジャストボルト２０の先端部２０ａがＰＣベランダの立ち上がり部分の内側面に当たるようにアジャストボルト２０を締め付けることにより、支持具１０の取り付け幅の微調整を行う。この状態では、支持具１０はＰＣベランダの立ち上がり部分に未だ完全には固定されておらず、第２部分１４の端板１２ｂを上方に持ち上げると、第１ボルト１８を支点として僅かに持ち上がるようになっている。次いで、第２部分１４の端板１４ｂの長穴１４ｂ１に第２ボルト２２を通し、第２ボルト２２の先端を枠体１６のナット部１６ａにねじ込んで、ラチェット等を用いて第２ボルト２２を締め付けると（図３の矢印参照）、枠体１６の延長部１６ｃが第１ボルト１８を支点として立ち上がり部分の内側面の方へに押し付けられ（図３の白抜き矢印参照）、これにより支持具１０がＰＣベランダの立ち上がり部分に堅固に固定される。しかる後、第１部分１２に単クランプ等を介して支柱などを取り付けたり、ネットを張ったりする。
【００１７】
図４は、ベランダ取り付け用支持具１０がＰＣベランダに取り付けられている状態を示した斜視図、図５は、ベランダ取り付け用支持具１０がＰＣベランダに取り付けられている状態を図４とは異なる箇所から見た斜視図である。
【００１８】
本発明は、以上の発明の実施の形態に限定されることなく、特許請求の範囲に記載された発明の範囲内で、種々の変更が可能であり、それらも本発明の範囲内に包含されるものであることはいうまでもない。
【図面の簡単な説明】
【００１９】
【図１】本発明の好ましい実施の形態に係るベランダ取り付け用支持具を示した分解斜視図である。
【図２】図１のベランダ取り付け用支持具の取り付け工程のうち支持具の取り付け幅の大まかな調整段階を示した模式図である。
【図３】図１のベランダ取り付け用支持具の取り付け工程のうち支持具の最終固定段階を示した模式図である。
【図４】図１のベランダ取り付け用支持具がＰＣベランダに取り付けられている状態を示した斜視図である。
【図５】図１のベランダ取り付け用支持具がＰＣベランダに取り付けられている状態を示した別の斜視図である。
【図６】従来のベランダ取り付け用支持具を示した図である。
【図７】図６のベランダ取り付け用支持具が使用されている状態を示した斜視図である。
【符号の説明】
【００２０】
１０  ベランダ取り付け用支持具
１２  第１部分
１２ａ  水平部
１２ｂ  垂直部
１４  第２部分
１４ａ  本体
１４ｂ  端板
１６  枠体
１６ａ  ナット部
１６ｂ  貫通孔
１６ｃ  延長部
１８  第１ボルト
２０  アジャストボルト
２２  第２ボルト
【図１】
2007303135.tif 000003
【図２】
2007303135.tif 000004
【図３】
2007303135.tif 000005
【図４】
2007303135.tif 000006
【図５】
2007303135.tif 000007
【図６】
2007303135.tif 000008
【図７】
2007303135.tif 000009